(57)【要約】【課題】  ティッシュボックスの出し入れが容易で、かつ収納ボックスを容易に支持することができるとともに、収納ボックスの容量を制限することがない車両用収納ボックス構造を提供する。【解決手段】  インストルメントパネルに、車室内に向けて回動可能に設けられた車両用収納ボックス構造において、上記収納ボックス内に、ティッシュボックス１４のティッシュ取り出し口が上記収納ボックスの開口部側に向くように、上記ティッシュボックス１４の少なくとも一対の側面を支持する一対の支持部１３，５ｄと、ティッシュボックス１４の底面を支持する支持部９，１０を設けた構造。【選択図】        図４
2006027438.tif 000002
【特許請求の範囲】
【請求項１】
インストルメントパネルに形成された開口部に装備され、車室内に向けて前倒し可能に組付けられた車両用収納ボックス構造において、上記収納ボックス内に、ティッシュボックスのティッシュ取り出し口が上記収納ボックスの開口部側に向くように、上記ティッシュボックスの少なくとも一対の側面を支持する一対の支持部と、ティッシュボックスの底面を支持する支持部を設けたことを特徴とする車両用収納ボックス構造。
【請求項２】
上記収納ボックス内に設けられた一対の壁面によって上記一対の支持部を構成し、前記壁面に上記ティッシュボックスの底面を支持する支持部を突設したことを特徴とする請求項１に記載の車両用収納ボックス構造。
【請求項３】
上記収納ボックス内に設けられた一対の壁面の一方が収納ボックス内を前後に仕切るように車幅方向に設けられていることを特徴とする請求項２に記載の車両用収納ボックス構造。
【請求項４】
上記ティッシュボックスの一対の側面を支持する一対の支持部の間隔がティッシュボックスの幅寸法より僅かに小さく形成されていることを特徴とする請求項１ないし３のいずれか１項に記載の車両用収納ボックス構造。
【請求項５】
上記収納ボックスの開口端部に上記ティッシュボックスの取付用ガイドを設けたことを特徴とする請求項１ないし４のいずれか１項に記載の車両用収納ボックス構造。
【請求項６】
上記ティッシュボックスの取り出し口が上記収納ボックスの上面側に向くように上記支持部を形成したことを特徴とする請求項１ないし５のいずれか１項に記載の車両用収納ボックス構造。
【請求項７】
上記支持部を上記収納ボックス内の所定高さに形成し、上記ティッシュボックスを上記収納ボックス内の開口端部近傍に配置したことを特徴とする請求項１ないし６のいずれか１項に記載の車両用収納ボックス構造。
【発明の詳細な説明】
【技術分野】
【０００１】
本発明は、車両の乗員室内に設けられる車両用収納ボックス構造に関する。
【背景技術】
【０００２】
自動車の室内には、車両前方にインストルメントパネルを有し、助手席の前方に例えばグローブボックスなどの物入れが車両用収納ボックスとして備わっている。このような車両用収納ボックスとしては、グローブボックスにおけるリッド部の裏面側に、ポケットティッシュを収納するボックスを設け、リッド部を開くことでティッシュペーパーの取り出しを容易にしたものがある（特許文献１参照）。
しかしながら、上記のような車両用収納ボックス構造では、グローブボックス内にポケットティッシュを入れるための収納部を設ける必要があるため、この収納部がグローブボックス内側に飛び出し、グローブボックスの容積が小さくなる。また、ポケットティッシュでは、ティッシュ枚数が限られているため、実際には、あまり実用的ではなかった。
【０００３】
そこで、ティッシュボックスを箱ごと入れる収納ボックス構造が知られている。この場合、リッド部の裏面側に、収納高さ変更可能にティッシュボックスを収納する収納部を設けている。この変更可能収納部を用いることで、ティッシュボックスの高さ違いを吸収し、ティッシュボックスを安定して保持することができる（特許文献２参照）。
しかしながら、このボックス構造では、ティッシュボックスを収納する収納部を設ける必要があるため、グローブボックス組立時の部品点数が増え、構造が複雑となるため、重量も増してしまう。また、上記の従来技術では、リッド部の裏面側にティッシュを収納する収納部を設けているため、グローブボックス内の収納空間が減ってしまう。なおかつ、ティッシュをボックスに入れていない未使用状態でも、グローブボックス内に収納部のボックス構造が張り出しているため、グローブボックス内の容積が制限され、物の出し入れに影響を及ぼす虞があった。
【特許文献１】特開２０００−２５５２９号公報
【特許文献２】特開２００３−２６７１４４号公報
【特許文献３】特開２００２−３１６５８７号公報
【発明の開示】
【発明が解決しようとする課題】
【０００４】
本発明は、上記課題を解決し、ティッシュボックスの出し入れが容易で、かつ収納ボックスを容易に支持することができるとともに、収納ボックスの容量を制限することがない車両用収納ボックス構造を提供することを目的とする。
【課題を解決するための手段】
【０００５】
本発明は、上記課題を解決するため、インストルメントパネルに形成された開口部に装備され、車室内に向けて前倒し可能に組付けられた車両用収納ボックス構造において、上記収納ボックス内に、ティッシュボックスのティッシュ取り出し口が上記収納ボックスの開口部側に向くように、上記ティッシュボックスの少なくとも一対の側面を支持する一対の支持部と、ティッシュボックスの底面を支持する支持部を設けたことにある。
上記収納ボックス内に設けられた一対の壁面によって上記一対の支持部を構成し、前記壁面に上記ティッシュボックスの底面を支持する支持部を突設したことにある。
上記収納ボックス内に設けられた一対の壁面の一方が収納ボックス内を前後に仕切るように車幅方向に設けられていることにある。
上記ティッシュボックスの一対の側面を支持する一対の支持部の間隔がティッシュボックスの幅寸法より僅かに小さく形成されていることにある。
上記収納ボックスの開口端部に上記ティッシュボックスの取付用ガイドを設けたことにある。
上記ティッシュボックスの取り出し口が上記収納ボックスの上面側に向くように上記支持部を形成したことにある。
上記支持部を上記収納ボックス内の所定高さに形成し、上記ティッシュボックスを上記収納ボックス内の開口端部近傍に配置したことにある。
【発明の効果】
【０００６】
本発明によると、収納ボックス内に、ティッシュボックスのティッシュ取り出し口が上記収納ボックスの開口部側に向くように、上記ティッシュボックスの少なくとも一対の側面を支持する一対の支持部と、ティッシュボックスの底面を支持する支持部を設けたので、収納ボックスの上部が開放されていることから、ティッシュボックスの出し入れが容易であるとともに高さの異なるティッシュボックスにも適用することができる。ティッシュボックスの未使用時には、収納空間が広がり、物の出し入れが容易となる。
また、収納ボックス内に設けられた一対の壁面によって上記一対の支持部を構成し、前記壁面に上記ティッシュボックスの底面を支持する支持部を突設したので、部品点数を増やさずにティッシュボックスを支持することができるとともに、重量の増加を招くこともなく剛性の向上を図ることができる。
さらに、収納ボックス内に設けられた一対の壁面の一方が収納ボックス内を前後に仕切るように車幅方向に設けられているので、収納ボックス内を突っ張る状態となるため、収納ボックスの剛性が増し、かつ独立した収納空間が生じ、小物入れに利用することができる。
またさらに、ティッシュボックスの一対の側面を支持する一対の支持部の間隔がティッシュボックスの幅寸法より僅かに小さく形成されているので、ティッシュボックスをしっかり保持することができる。
また、収納ボックスの開口端部に上記ティッシュボックスの取付用ガイドを設けたので、ティッシュボックスを取り付ける際の押さえとなり、組付けが容易にできる。
ティッシュボックスの取り出し口が上記収納ボックスの上面側に向くように上記支持部を形成したので、収納ボックスを開けたとき、ティッシュ取り出し口が乗員側に向き、ティッシュペーパーの抜き取りが容易にできる。
さらに、支持部を上記収納ボックス内の所定高さに形成し、上記ティッシュボックスを上記収納ボックス内の開口端部近傍に配置したので、ティッシュボックスの下面側に収納空間が確保でき、物品とティッシュボックスがコンパクトに収納できる。収納ボックスの最上部にティッシュボックスが位置し、収納ボックスを開けるとすぐにティッシュが取り出せて使い勝手が良好である。
【発明を実施するための最良の形態】
【０００７】
以下、図示の実施の形態を、図面を参照しながら詳細に説明する。
図１はインストルメントパネルを示す概念図、図２はグローブボックスを示す分解斜視図、図３は図２のグローブボックスを背面から見た斜視図、図４は図１のＡ−Ａ線断面図、図５は図４のグローブボックスを開けた状態の断面図である。
【０００８】
図１において、車室前部に装備されたインストルメントパネル１には、例えば右ハンドル車の場合、運転席の前部にステアリングコラム２が設けられており、助手席の前部に、収納ボックスとして、グローブボックス３が設けられている。グローブボックス３は、インストルメントパネル１に形成された開口部１ａに装備され、車室内に向けて前倒し可能に組付けられている。
【０００９】
このグローブボックス３は、図２および図３に示すように、上面に開口部４を有する箱状のグローブボックス本体５と、このグローブボックス本体５の助手席側前面に設けられたリッド６とで構成されている。グローブボックス３は、リッド６の両側下端部に外側に向けて突設された軸部７を介してインストルメントパネル１のグローブボックス取付開口部１ａの両側壁面(図示せず)に、回動可能に軸支されている。グローブボックス本体５の左右の両側壁５ａ、５ｂには、外面にガイド軸８が突設されており、このガイド軸８をインストルメントパネル１のグローブボックス取付開口部１ａ両側に設けられた図示しない円弧状のガイド部材に係合させてガイドされている。
【００１０】
上記グローブボックス本体５は、図３ないし図５に示すように、助手席から見て手前側の壁面５ｃと、奥側の壁面５ｄに、開口部４から所定高さｈだけ、内部に入った位置に、グローブボックス本体５の内側に向けて段差状の突部９，１０がそれぞれ内壁面の幅方向に沿って設けられている。上記手前側の壁面５ｃには、上記インストルメントパネル１のグローブボックス取付開口部１ａ上部側に装備された図示しないストライカに係合するロック装置の収納部１１が設けられており、このロック装置収納部１１はリッド６に設けられたハンドル１２によってストライカとの係合が解除されるように形成されている。ロック装置収納部１１の片側側面１１ａには、上記グローブボックス本体５の奥側の壁面５ｄに対向する壁面１３が、幅方向に沿って設けられており、この壁面１３は、ロック装置収納部１１の片側側面１１ａと上記グローブボックス本体５の片側側壁５ｂの内壁面との間に設けられている。この壁面１３と上記グローブボックス本体５の奥側の壁面５ｄとの間の距離Ｌは、ティッシュボックス１４の幅寸法Ｍよりも僅かに小さく形成されており、壁面１３と壁面５ｄとの間隙でティッシュボックス１４を支持できるように形成されている。
上記実施の形態では、壁面１３はロック装置収納部１１と同一面位置になるように形成されている。
【００１１】
上記壁面１３は、グローブボックス本体５の手前側の壁面５ｃと、グローブボックス本体５の片側側壁５ｂと、ロック装置収納部１１の片側側面１１ａとによって収納部１４が形成されており、小物などの収納に利用できるように形成されている。
また、奥側の壁面５ｄには、上端部に助手席から離れる方向に沿ったガイド用斜面５ｅが形成されており、このガイド用斜面５ｅに沿わせてティッシュボックス１４を挿入できるように構成されている。
【００１２】
次に上記実施の形態の作用を説明する。
ティッシュボックス１４を配置するときは、グローブボックス３を開放し、グローブボックス本体５のガイド用斜面５ｅに沿わせてティッシュボックス１４を挿入し、壁面１３と壁面５ｄとの間隙にティッシュボックス１４を押し込む。ティッシュボックス１４は、取り出し口が開口部４側に向くようにして段差状の突部９，１０上面に載せる。こうして、ティッシュボックス１４は、壁面１３と壁面５ｄによって挟まれた状態で、グローブボックス本体５内に保持される。なお、通常、グローブボックス３内に入れておきたい車検証などは、ティッシュボックス１４の下部側のグローブボックス本体５内に収納することができる。こうして、ティッシュを使用したいときは、グローブボックス３を開けると、ティッシュボックス１４の取り出し口が上を向いているので、容易にティッシュを取り出すことができる。なお、ティッシュボックス１４下部側の用具を使用したいときは、ティッシュボックス１４横の隙間から工具などを取り出すことができる。
【００１３】
上記実施の形態によると、ティッシュボックス１４は、取り出し口が開口部４側に向くようにして段差状の突部９，１０上面に載せられ、壁面１３と壁面５ｄによって挟まれた状態で、グローブボックス本体５内に保持されるので、容易にティッシュを取り出すことができる。また、高さの異なるティッシュボックス１４に対応するように開口部４から所定高さｈに段差状の突部９，１０を設けているので、高さの異なるティッシュボックス１４にも十分対処することができる。さらに、壁面１３と、グローブボックス本体５の手前側の壁面５ｃと、グローブボックス本体５の片側側壁５ｂと、ロック装置収納部１１の片側側面１１ａとによって小さい収納部１５が形成されているので、小物などの収納に利用することができる。またさらに、ティッシュボックス１４を入れないときは、グローブボックス本体５内の容積が拡大するので、多くのものを収納することができる。また、グローブボックス本体５には、壁面１３と段差状の突部９，１０を設けただけなので、部品点数の増大を来たすことなく、簡単な構成でティッシュボックス１４の収納部を設けることができる。
【００１４】
図６および図７は、図３と同一部分は同符号を付して、同一部分の説明は省略して示す、本発明の他に実施の形態で、この場合、図６は、手前側の段差状の突部９に代えて柱状のティッシュボックス支持面１６を形成したものである。このティッシュボックス支持面１６は、壁面５ｄに対向する壁面１３の下端位置に対応するように形成され、段差状の突部１０と同一高さになるように形成されている。
また、図７は、段差状の支持リブ１７，１８を互いに並行に、グローブボックス本体５の手前側の壁面５ｃに沿わせて立設したものである。これによって、支持リブ１７，１８の開口部４に向いた面１７ａ，１８ａにティッシュボックス１４を載せ、壁面５ｄに対向する面１７ｂ、１８ｂで、壁面１３の代わりをするものである。こうして、壁面１３を省略することができる。
【００１５】
なお、本発明は、上記実施の形態のみに限定されるものではなく、本発明の要旨を変更しない範囲内で適宜変更して実施し得ることはいうまでもない。
【図面の簡単な説明】
【００１６】
【図１】本発明の実施の形態によるインストルメントパネルを示す概念図である。
【図２】図１のグローブボックスを示す分解斜視図である。
【図３】図２のグローブボックス本体の背面を示す斜視図である。
【図４】図１のＡ−Ａ線断面図である。
【図５】図４のグローブボックスを開放した状態を示す断面図である。
【図６】本発明の他の実施の形態によるグローブボックス本体を示す斜視図である。
【図７】本発明の他の実施の形態によるグローブボックス本体を示す斜視図である。
【符号の説明】
【００１７】
１  インストルメントパネル
２  ステアリングコラム
３  グローブボックス
４  開口部
５  グローブボックス本体
５ｃ  手前側の壁面
５ｄ  奥側の壁面
６  リッド
７  軸部
８  ガイド軸
９，１０  突部
１１  ロック装置収納部
１２  ハンドル
１３  壁面
１４  ティッシュボックス
【図１】
2006027438.tif 000003
【図２】
2006027438.tif 000004
【図３】
2006027438.tif 000005
【図４】
2006027438.tif 000006
【図５】
2006027438.tif 000007
【図６】
2006027438.tif 000008
【図７】
2006027438.tif 000009